(57)【要約】【課題】振動の影響を受けにくい底フレームを有する冷凍装置の室外ユニットを提供することにある。【解決手段】空気調和装置の室外ユニット２０は、熱交換器と、ケーシングとを備える。ケーシングは、第１強度用リブ６４と、少なくとも一部が前記熱交換器の下方に位置する排水路部６１とが形成された底フレーム６０を含む。第１強度用リブは、排水路部以外に形成され、底フレームを上から見たときに、左右方向に延びる左右延伸リブ６４ａと、前後方向に延びる前後延伸リブ６４ｂとを含む。【選択図】図４
2013164249.tif 000002
【特許請求の範囲】
【請求項１】
熱交換器（２５）と、
第１強度用リブ（６４）と、少なくとも一部が前記熱交換器の下方に位置する排水路部（６１）と、が形成された底フレーム（６０）を含むケーシング（５０）と、
を備えた冷凍装置（１）の室外ユニット（２０）であって、
前記第１強度用リブは、前記排水路部以外に形成され、前記底フレームを上から見たときに、左右方向に延びる第１部分（６４ａ）と、前後方向に延びる第２部分（６４ｂ）とを含む、
室外ユニット。
【請求項２】
前記底フレームは、前記排水路部の縁部に形成された段差部（６２）と、
前記排水路部の上方に配置され、前記段差部により前記排水路部と隔てられて形成された台地部（６３ａ）と、
を更に有し、
前記第１強度用リブは、前記台地部に形成され、
前記段差部は、前記左右方向に延びると共に、前記前後方向に延びる前後段差部（６２ｂ，６２ｃａ，６２ｃｂ，６２ｃｃ，６２ｄａ，６２ｄｂ）を５箇所以上有する、
請求項１に記載の室外ユニット。
【請求項３】
前記第１強度用リブは、前記第１部分と前記第２部分とが交差する少なくとも一つの角部（６４ｃ，６４ｄ）を有し、
前記段差部は、左右方向に延びる左右段差部（６２ｃｄ）と、前記前後段差部と前記左右段差部とが交差する段差角部（６２ｃｅ，６２ｃｆ）と、を有し、
平面視において、前記角部の前記第１部分および前記第２部分と対向する側に形成される空間（Ｓ３，Ｓ４）に、前記段差角部が位置する
請求項２に記載の室外ユニット。
【請求項４】
前記排水路部には、複数の排水穴（６９ａ，６９ｂ）が形成される、
請求項１から３のいずれか１項に記載の室外ユニット。
【請求項５】
前記ケーシングの内部は、送風機室（Ｓ１）と機械室（Ｓ２）とに分割され、
前記第１強度用リブは、前記送風機室内に形成される
請求項１から４のいずれか１項に記載の室外ユニット。
【請求項６】
前記底フレームには、第２強度用リブ（６５）がさらに形成され、
前記排水路部は、前記左右方向に延び前記熱交換器の下方に位置する左右延伸排水路部（６１ｃ）を有し、
前記第２強度用リブは、前記第１強度用リブに対して前記左右延伸排水路部とは反対側に位置し、前記左右方向に延びる、
請求項１から５のいずれか１項に記載の室外ユニット。
【発明の詳細な説明】
【技術分野】
【０００１】
本発明は、底フレームに特徴のある、冷凍装置の室外ユニットに関する。
【背景技術】
【０００２】
冷凍装置の室外ユニットの底フレームには、例えば特許文献１（特開２００２−２７７０４号公報）のように、圧縮機等の重量物に対する強度の保持を１つの目的として、凸部や凹部が形成されるものがある。
【発明の概要】
【発明が解決しようとする課題】
【０００３】
しかし、底フレームに生ずる応力は、重量物の荷重による応力に限られるものではなく、圧縮機の振動を原因とする応力も生ずる。
【０００４】
圧縮機の振動を原因とする応力では、底フレームの振動モード（振動の形状）によって作用する曲げモーメントの方向が異なるため、応力の生ずる方向も振動モードによって異なる。特許文献１のような室外ユニットにおいては、振動モードによって、室外ユニットを正面から見たときに左右方向に曲げモーメントが作用する場合や、前後方向に曲げモーメントが作用する場合がある。
【０００５】
ところが、特許文献１の底フレームでは、底フレームに作用する曲げモーメントに対する補強、中でも前後方向に作用する曲げモーメントに対する補強がなされていない。そのため、特に軽量化を目的として底フレームを含めたケーシングの薄板化が図られる場合には、底フレームの剛性が低下して底フレームに振動が発生し、騒音や振動の原因となる可能性があることを本願発明者は見い出した。
【０００６】
本発明の課題は、冷凍装置の室外ユニットにおいて、振動の影響を受けにくい底フレームを有する室外ユニットを提供することにある。
【課題を解決するための手段】
【０００７】
本発明の第１観点に係る冷凍装置の室外ユニットは、冷凍装置の室外ユニットであって、熱交換器と、ケーシングと、を備える。ケーシングは、第１強度用リブと、少なくとも一部が熱交換器の下方に位置する排水路部と、が形成された底フレームを含む。第１強度用リブは、排水路部以外に形成され、底フレームを上から見たときに、左右方向に延びる第１部分と、前後方向に延びる第２部分とを含む。なお、ここでは、前後方向とは、室外ユニットの正面側から背面側に向かう方向であり、左右方向とは、室外ユニットの左右方向であり、前後方向に直交する方向をいう。
【０００８】
ここでは、左右方向に延びる第１部分と、前後方向に延びる第２部分とを有する強度用リブを底フレームに設けたことで、底フレームを左右方向又は前後方向に曲げようとするモーメントに対して剛性を高めることができる。つまり、底フレームに作用する曲げモーメントによって底フレームが振動しにくい。
【０００９】
また、左右方向に延びる第１部分と前後方向に延びる第２部分とを組み合わせた強度用リブを設けたために、斜め方向（左右方向と前後方向との中間の方向）に作用する曲げモーメントに対しても底フレームの剛性を高めることができる。
【００１０】
本発明の第２観点に係る冷凍装置の室外ユニットは、第１観点に係る室外ユニットであって、底フレームは、排水路部の縁部に形成された段差部と、台地部と、を更に有する。台地部は、排水路部の上方に配置され、段差部により排水路部と隔てられて形成されている。第１強度用リブは、台地部に形成される。段差部は、左右方向に延びると共に、前後方向に延びる前後段差部を５箇所以上有する。
【００１１】
これにより、底フレームの剛性をさらに高めることが可能である。
【００１２】
本発明の第３観点に係る冷凍装置の室外ユニットは、第２観点に係る室外ユニットであって、第１強度用リブは、第１部分と第２部分とが交差する少なくとも１つの角部を有する。段差部は、左右方向に延びる左右段差部と、前後段差部と左右段差部とが交差する段差角部と、を有する。平面視において、角部の第１部分および第２部分と対向する側に形成される空間に段差角部が位置する。
【００１３】
これにより、台地部において底フレームの剛性をさらに高めることが可能である。
【００１４】
本発明の第４観点に係る冷凍装置の室外ユニットは、第１観点から第３観点のいずれかに係る室外ユニットであって、排水路部には複数の排水穴が形成される。
【００１５】
ここでは、排水路部に複数の排水穴を設けて排水性を高めた場合にも、底フレームが補強されているため剛性を十分に確保できる。
【００１６】
本発明の第５観点に係る冷凍装置の室外ユニットは、第１観点から第４観点のいずれかに係る室外ユニットであって、ケーシングの内部は、送風機室と機械室とに分割される。第１強度用リブは、送風機室内に形成される。
【００１７】
これにより、送風機室において底フレームの剛性を高めることができる。
【００１８】
本発明の第６観点に係る冷凍装置の室外ユニットは、第１観点から第５観点のいずれかに係る室外ユニットであって、底フレームには、第２強度用リブがさらに形成される。排水路部は左右方向に延び、熱交換器の下方に位置する、左右延伸排水路部を有する。第２強度用リブは、第１強度用リブに対して左右延伸排水路部とは反対側に位置し、左右方向に延びる。
【００１９】
これにより、底フレームの左右方向の曲げモーメントに対する剛性をさらに高めることができる。
【発明の効果】
【００２０】
本発明の第１観点に係る冷凍装置の室外ユニットでは、左右方向に延びる第１部分と、前後方向に延びる第２部分とを有する強度用リブを底フレームに設けたことで、底フレームを左右方向又は前後方向に曲げようとするモーメントに対して剛性を高めることができる。つまり、作用する曲げモーメントによって底フレームが振動しにくい。また、左右方向に延びる第１部分と前後方向に延びる第２部分とを組み合わせた強度用リブを設けたために、斜め方向（左右方向と前後方向との中間の方向）に作用する曲げモーメントに対しても底フレームの剛性を高めることができる。
【００２１】
本発明の第２および第３観点に係る冷凍装置の室外ユニットでは、底フレームの剛性をさらに高めることができる。
【００２２】
本発明の第４観点に係る冷凍装置の室外ユニットでは、排水部に排水穴を形成し底フレームの排水性を高めた場合であっても、底フレームの剛性を確保できる。
【００２３】
本発明の第５観点に係る冷凍装置の室外ユニットでは、送風機室内における底フレームの剛性を高めることができる。
【００２４】
本発明の第６観点に係る冷凍装置の室外ユニットでは、底フレームの左右方向の剛性を高めることができる。
【図面の簡単な説明】
【００２５】
【図１】本発明の一実施形態に係る冷凍装置の室外ユニットが採用された空気調和装置の概略の冷媒回路図である。
【図２】本発明の一実施形態に係る冷凍装置の室外ユニットの概略斜視図である。
【図３】本発明の一実施形態に係る冷凍装置の室外ユニットの天板を取り除いた状態での概略平面図である。
【図４】本発明の一実施形態に係る冷凍装置の室外ユニットの底フレームの概略平面図である。同一部分については一部の記号を省略している。
【図５】図４のV−V線における底フレームの概略断面図である。同一部分については一部の記号を省略している。
【図６】図４のVI−VI線における底フレームの概略断面図である。
【図７】図４のVII−VII線における底フレームの概略断面図である。
【図８】図４のVIII−VIII線における底フレームの概略断面図である。
【図９】室外ユニットの底フレームの左右方向の１次の振動モードの振動形状の概略図である。
【図１０】室外ユニットの底フレームの前後方向の１次の振動モードの振動形状の一例である。
【図１１】室外ユニットの底フレームの左右方向の２次の振動モードの振動形状の他の例である。
【発明を実施するための形態】
【００２６】
以下、図面を参照しながら、本発明の実施形態について説明する。
【００２７】
本実施形態の冷凍装置の室外ユニットは、空気調和装置の室外ユニットとして利用される。
【００２８】
（１）空気調和装置の概要
（１−１）全体構成
空気調和装置１は、いわゆるセパレートタイプの空気調和装置であり、図１に示すように、室外ユニット２０と、室内ユニット４０と、室外ユニット２０と室内ユニット４０とを接続する液冷媒連絡配管７１およびガス冷媒連絡配管７２とを有する。
【００２９】
（１−２）室内ユニット
室内ユニット４０は、空気調和の対象である室内に設置される。室内ユニット４０は、主に、室内熱交換器４１と、室内ファン４２とを有する。
【００３０】
室内熱交換器４１は、伝熱管と多数の伝熱フィンとにより構成されたクロスフィン式のフィン・アンド・チューブ型熱交換器である。冷房運転時には冷媒の蒸発器として機能して室内空気を冷却し、暖房運転時には冷媒の凝縮器として機能して室内空気を加熱する。室内熱交換器４１の液側は液冷媒連絡配管７１に接続され、室内熱交換器４１のガス側はガス冷媒連絡配管７２に接続される。
【００３１】
室内ファン４２は、図示しないモータにより回転され、室内空気を取り込んで室内熱交換器４１に送風し、室内熱交換器４１と室内空気との熱交換を促進する。
【００３２】
（１−３）室外ユニット
図２に室外ユニット２０の概観斜視図を示す。室外ユニット２０は、室外に設置される。室外ユニット２０は、主に、アキュムレータ２１、圧縮機２３、四路切換弁２４、室外熱交換器２５、膨張弁２６、および室外ファン３５を、ケーシング５０内に有する。
【００３３】
室外ファン３５の吹出し側に配置されるケーシング５０の前板５１には、図３に示すように、室外ファン３５から送風される空気の吹出口５１ａが形成される。吹出口５１ａのケーシング５０外側には、吹出口５１ａ全体を覆うファングリル９０が取り付けられる。
【００３４】
（２）室外ユニットの詳細説明
以下の説明で、「上」、「下」、「左」、「右」、「前」、「後」、「正面」、「背面」等の方向を示す表現を用いているが、特に断りのない場合、ファングリル９０の配置される前板５１を室外ユニット２０の正面として、正面側から見た場合の方向を示す。
【００３５】
（２−１）冷媒配管による接続
圧縮機２３の吸入口と四路切換弁２４とは、吸入管８１によって接続される。吸入管８１には、圧縮機２３の吸入口と四路切換弁２４との間に、アキュムレータ２１が設けられる。圧縮機２３の吐出口と四路切換弁２４とは、吐出管８２によって接続される。四路切換弁２４と室外熱交換器２５のガス側とは、第１ガス冷媒管８３によって接続される。室外熱交換器２５と液冷媒連絡配管７１とは、液冷媒管８４によって接続される。液冷媒管８４には、膨張弁２６が設けられる。四路切換弁２４とガス冷媒連絡配管７２とは、第２ガス冷媒管８５によって接続される。
【００３６】
（２−２）圧縮機
圧縮機２３はガス冷媒を吸入し、ガス冷媒を圧縮する。圧縮機２３は容積式圧縮機である。圧縮機２３は後述する底フレーム６０の圧縮機設置部６８に設置される。
【００３７】
（２−３）四路切換弁
四路切換弁２４は、空気調和装置１の冷房運転と暖房運転との切換時に、冷媒の流れ方向を切り換える。冷房運転時には吐出管８２と第１ガス冷媒管８３とを接続するとともに吸入管８１と第２ガス冷媒管８５とを接続する。一方、暖房運転時には吐出管８２と第２ガス冷媒管８５とを接続するとともに吸入管８１と第１ガス冷媒管８３とを接続する。
【００３８】
（２−４）アキュムレータ
アキュムレータ２１は、冷媒を気相と液相とに分離する気液分離機能を有する。アキュムレータ２１に流入する冷媒は、液相と気相とに分離され、上部空間に集まる気相の冷媒は圧縮機２３に供給される。
【００３９】
（２−５）室外熱交換器
室外熱交換器２５は、室外空気との熱交換によって内部を流れる冷媒を凝縮又は蒸発させる。室外熱交換器２５は、全てがアルミニウム製又はアルミニウム合金製である。室外熱交換器２５は、ケーシング５０を含む鋼製部材と直接接触することがないよう、鋼製部材と適切なスペースを空けて、又は、樹脂部材等を鋼製部材と室外熱交換器２５との間に設置して、ケーシング５０内に配置される。
【００４０】
室外熱交換器２５は、図３のように、ケーシング５０の背面側に沿って、後述する仕切板５８の端部付近から左方に延び、ケーシング５０の左後方角部付近でその方向を変え、後述する左側板５４に沿って前方に延びる。室外熱交換器２５は、後述する底フレーム６０の第２左右延伸排水路部６１ｃと、前後延伸排水路部６１ｂとの上方に配置される。
【００４１】
（２−６）膨張弁
膨張弁２６は、冷媒圧力や冷媒流量の調節を行うために設けられ、冷房運転時および暖房運転時のいずれにおいても、冷媒を膨張させる機能を有する。
【００４２】
（２−７）室外ファン
室外ファン３５は、水平方向に送風するファンである。室外ファン３５は、主に鋼製であるモータ台１３０に固定されたモータ３５ａにより回転され、室外空気をケーシング５０の外部から取り込む。取り込まれた室外空気は、室外熱交換器２５を通過したのち、ケーシング５０に形成された吹出口５１ａからケーシング５０の外へ排出される。すなわち、室外ファン３５が回転することで、概ね図３中の矢印のように空気が移動する。
【００４３】
（２−８）ケーシング
ケーシング５０は、前板５１と左側板５４とが一体に形成された左ケーシング部材１５１、右前板５５、右後板５６、天板５７、仕切板５８、および底フレーム６０から構成される。
【００４４】
（２−８−１）左ケーシング部材
左ケーシング部材１５１は、平面視において略Ｌ字形状に形成される板状部材であり、前板５１と左側板５４とが一体に成形されている。左ケーシング部材１５１は、底フレーム６０から天板５７まで略鉛直上方に延びる。
【００４５】
前板５１は、ケーシング５０の左側正面を構成する板状部材である。前板５１には、室外ファン３５から送風される空気の吹出口５１ａが形成されている。吹出口５１ａは円形の開口である。吹出口５１ａの開口の周縁部からは、ケーシング５０の内側に向かって突出するベルマウス９５が設けられる。吹出口５１ａのケーシング５０外側には、ファングリル９０が取り付けられる。
【００４６】
左側板５４は、ケーシング５０の左側面を構成する部材であり、室外熱交換器２５の前後方向に延びる部分と対面する。左側板５４には、室外ファン３５によってケーシング５０内に吸入される空気の吸入口５４ａが形成される。
【００４７】
（２−８−２）右前板
右前板５５は、ケーシング５０の右前面及び右側面の前部を構成する板状部材である。右前板５５は、底フレーム６０から天板５７まで略鉛直上方に延びる。
【００４８】
（２−８−３）右後板
右後板５６は、ケーシング５０の右背面及び右側面の後部を構成する板状部材である。右後板５６は、底フレーム６０から天板５７まで略鉛直上方に延びる。左ケーシング部材１５１の左側板５４の後端部と、右後板５６の背面側端部との左右方向間には、室外ファン３５によってケーシング５０内に吸入される空気の吸入口５３ａが形成される。
【００４９】
（２−８−４）天板
天板５７は、ケーシング５０の上面を構成する略直方形状の板状部材である。天板５７の周縁部は、下向きに折り曲げられた折曲部５７ａを有する。折曲部には、左ケーシング部材１５１や、右後板５６等がネジ等により固定される。
【００５０】
（２−８−５）仕切板
仕切板５８は、ケーシング５０の底フレーム６０から天板５７まで略鉛直上方に延びる板状部材である。仕切板５８は、図３に示すように、平面視において弧状の形状を有する。仕切板５８は、ケーシング５０の内部を送風機室Ｓ１と、機械室Ｓ２とに分割する。
【００５１】
送風機室Ｓ１は、左ケーシング部材１５１および仕切板５８に側面を囲まれて形成された空間であり、主に室外ファン３５および室外熱交換器２５が配置される。機械室Ｓ２は、右前板５５、右後板５６および仕切板５８で側面を囲まれて形成された空間であり、圧縮機２３、四路切換弁２４等が配置される。
【００５２】
（２−８−６）底フレーム
底フレーム６０は、室外ユニット２０の底部を構成する部材である。底フレーム６０は鋼板製であり、プレス加工により成形される。鋼板の厚みは１ｍｍである。底フレーム６０上には、圧縮機２３、室外熱交換器２５、室外ファン３５のモータ３５ａのモータ台１３０等が設置され、ネジ等により固定される。
【００５３】
底フレーム６０は、図４のように、ケーシング５０の下面を構成し、平面視において略長方形状の底板部６０ａと、底板部６０ａの周縁から上向きに延びる折曲部６０ｂとを有する。折曲部６０ｂには、左ケーシング部材１５１や、右後板５６等がネジ等により固定される。
【００５４】
以下、図４〜図８を用いて、底板部６０ａについて詳しく説明する。
【００５５】
（２−８−６−１）底板部
底板部６０ａには、複数の凹凸が形成されており、図５のように、高さ方向に概ね４段（第１〜第４段Ｌ１，Ｌ２，Ｌ３，Ｌ４）に分かれている。最も低い段から順に第１段Ｌ１、第２段Ｌ２、第３段Ｌ３、第４段Ｌ４である。第１段Ｌ１と第２段Ｌ２とは、段差部６２により隔てられている。
【００５６】
第１〜第４段Ｌ１，Ｌ２，Ｌ３，Ｌ４と、段差部６２について詳しく説明する。
【００５７】
（ａ）第１段
第１段Ｌ１は、ドレン水が流れる排水路部６１である。排水路部６１は、第１左右延伸排水路部６１ａと、前後延伸排水路部６１ｂと、第２左右延伸排水路部６１ｃと、傾斜排水路部６１ｄと、機械室内導水路６１ｅと、を含む。排水路部６１には、排水性を高める目的で底面に傾斜が設けられている部分があるため、第１段Ｌ１内においても若干の高低差がある。
【００５８】
第１左右延伸排水路部６１ａは、図４のように、機械室Ｓ２内の圧縮機設置部６８の下方から左側の折曲部６０ｂ付近まで左方向に延びる。第１左右延伸排水路部６１ａは、圧縮機設置部６８の下方から底板部６０ａの左右方向中心付近まで左方向に向かって下り勾配になり、その後平坦になるように形成されている。
【００５９】
前後延伸排水路部６１ｂは、第１左右延伸排水路部６１ａの左側端部から背面側に向かって延びる。より具体的には、前後延伸排水路部６１ｂは、図４のように、第１左右延伸排水路部６１ａの左側端部から後方に向かって延び、底板部６０ａの左後方角部付近で右後方向きにその方向を変え、背面側の折曲部６０ｂまで延びる。前後延伸排水路部６１ｂの底面には、ドレン水を排出するための排水穴として、第１開口６９ａが３箇所形成されている。
【００６０】
第２左右延伸排水路部６１ｃは、前後延伸排水路部６１ｂの背面側端部から仕切板５８付近まで右方向に延びる。第２左右延伸排水路部６１ｃの底面には、ドレン水を排出するための排水穴として、第１開口６９ａと、第２開口６９ｂとが形成されている。第１開口６９ａは５箇所、第２開口６９ｂは１箇所設けられている。なお、前後延伸排水路部６１ｂおよび第２左右延伸排水路部６１ｃの上方には、室外熱交換器２５が配置される。
【００６１】
傾斜排水路部６１ｄは、後述する第２段Ｌ２に含まれるモータ台固定部１３０ａの前方、右側方、および左側方を囲むように形成されており、背面側で第２左右延伸排水路部６１ｃの前縁部と繋がっている。傾斜排水路部６１ｄは、図７に示すように、傾斜排水路部６１ｄの前縁部から、第２左右延伸排水路部６１ｃに向かって下り勾配になるよう形成されている。
【００６２】
機械室内導水路６１ｅは、主に機械室Ｓ２内に形成されている。機械室内導水路６１ｅは、図４のように、第２左右延伸排水路部６１ｃの右端部中央付近から右方向に延び、底面部６０ａの右後方角部付近で方向を変え前方に向かって延びる。
【００６３】
（ｂ）段差部
段差部６２は、第１段Ｌ１と第２段Ｌ２との間に配置され、第１段Ｌ１と第２段Ｌ２とを隔てる。言い換えれば、段差部６２は、排水路部６１の縁部に形成される。段差部６２は、図５から図８に示すように、第１段Ｌ１である排水路部６１から、第２段Ｌ２に向かって上り勾配になるように形成されている。段差部６２は、補強を主な目的として配置されるものではないが、特に一定以上の長さを有する段差部６２は、底板部６０ａの強度の向上に寄与する。
【００６４】
段差部は、第１〜第４段差部６２ａ，６２ｂ，６２ｃ，６２ｄを含む
第１段差部６２ａは、図４のように、圧縮機設置部６８の下方において前方左側が開口した環状に形成され、その開口から第１左右延伸排水路部６１ａを前後で挟むように左方向に延びる。第１段差部６２ａは、左右方向に、底フレーム６０の左右方向の全長Ｗの約８０％の長さを有する。
【００６５】
第２段差部６２ｂは、第１段差部６２ａの背面側の左端から、前後延伸排水路部６１ｂの右縁部に沿って延びる。第２段差部６２ｂは、前後方向に、底フレーム６０の前後方向の全長Ｄの約６０％の長さを有する。
【００６６】
第３段差部６２ｃは、第２段差部６２ｂの右端から、第２左右延伸排水路部６１ｃと、傾斜排水路部６１ｄと、機械室内導水路６１ｅと、に沿って延びる。具体的に説明すると、第３段差部６２ｃは、第２段差部６２ｂの右端から、第２左右延伸排水路部６１ｃと傾斜排水路部６１ｄの左後方端部とが繋がる位置まで、第２左右延伸排水路部６１ｃの前縁部に沿って右方向に延びる。傾斜排水路部６１ｄの左後方端部からは、第３段差部６２ｃは、傾斜排水路部６１ｄの左縁部、前縁部、右縁部に沿って、傾斜排水路部６１ｄの右後方端部まで延びる。傾斜排水路部６１ｄの右後方端部からは、第３段差部６２ｃは、第２左右延伸排水路部６１ｃの前縁部に沿って右方向に延びる。そして、第３段差部６２ｃは、第２左右延伸排水路部６１ｃの右端部中央付近から、機械室内導水路６１ｅを取り囲むように延び、再び第２左右延伸排水路部６１ｃの右端部に戻り、最終的に背面側の折曲部６０ｂまで後方に延びる。第３段差部６２ｃは、左右方向に、底フレーム６０の左右方向の全長Ｗの約８０％の長さを有する。また、第３段差部６２ｃは、図４のように、前後方向に底フレーム６０の前後方向の全長Ｄの２５％以上の長さを有する前後段差部６２ｃａ，６２ｃｂ，６２ｃｃを有する。前後段差部６２ｃａおよび前後段差部６２ｃｂは、段差角部６２ｃｅ，６２ｃｆにおいて、左右段差部６２ｃｄと交差する。
【００６７】
第４段差部６２ｄは、後述する第２段Ｌ２のモータ台固定部１３０ａを取り囲むように形成される。第４段差部６２ｄは、図４のように、前後方向に、底フレーム６０の前後方向の全長Ｄの２５％以上の長さを有する前後段差部６２ｄａ，６２ｄｂを有する。
【００６８】
（ｃ）第２段
第２段Ｌ２は、図４および図６〜図８のように、底板部６０ａの前後方向の中央付近に位置する中央部６３ａと、底板部６０ａの前面に沿って位置する前方部６３ｂと、モータ台固定部１３０ａと、を含む。中央部６３ａおよび前方部６３ｂは、送風機室Ｓ１から機械室Ｓ２まで延びる。中央部６３ａの右前方縁部と、前方部６３ｂの右後方縁部とは、繋がるように形成されている。中央部６３ａと、モータ台固定部１３０ａとは、傾斜排水路部６１ｄにより隔てられている。
【００６９】
中央部６３ａの上方には、後述する第３段Ｌ３に含まれる第１強度用リブ６４、および、第４段Ｌ４に含まれる圧縮機固定部２３ａが形成される。
【００７０】
前方部６３ｂの上方には、後述する第３段Ｌ３に含まれる第２強度用リブ６５および第４段Ｌ４に含まれる圧縮機固定部２３ａが形成される。
【００７１】
モータ台固定部１３０ａには、モータ台１３０が固定される。
【００７２】
（ｄ）第３段
第３段Ｌ３は、第１および第２強度用リブ６４，６５を含む。
【００７３】
第１強度用リブ６４は、図４〜７のように、段差部により周縁を囲まれるように形成された第２段Ｌ２の中央部６３ａにおいて、中央部６３ａから上方に突出するように形成される。第１強度用リブ６４は、図４のように、左右延伸リブ６４ａと、左右延伸リブ６４ａの背面側から後方に延びる２本の前後延伸リブ６４ｂとからなる。前後延伸リブ６４ｂは、左右延伸リブ６４ａと一体に形成されている。
【００７４】
左右延伸リブ６４ａは、図４のように、中央部６３ａの左端付近から、底板部６０ａの左右方向の中心線を跨いで、仕切板５８付近まで、延びるように形成される。左右延伸リブ６４ａは、中央部６３ａの前縁部に沿って延びる。左右延伸リブ６４ａは、中央部６３ａの背面側であって、左右段差部６２ｃｄによって排水路部６１と隔てられた部分において、中央部６３ａと背面側の端部を共有する。その結果、左右段差部６２ｃｄと左右延伸リブ６４ａとが連続するように形成される。左右延伸リブ６４ａは、送風機室Ｓ１の左右方向長さの大半にわたって形成される。左右延伸リブ６４ａは、底フレーム６０の左右方向の全長Ｗのおよそ６０％の長さを有する。
【００７５】
２本の前後延伸リブ６４ｂのうち一方は、図４のように、左右延伸リブ６４ａの左端付近から、底板部６０ａの前後方向の中心線を跨いで後方に延びる。他方の前後延伸リブ６４ｂは、図４のように、左右延伸リブ６４ａの左右方向の中心と左右延伸リブ６４ａの右端との中央付近から、底板部６０ａの前後方向の中心線を跨いで後方に延びる。前後延伸リブ６４ｂは、左右延伸リブ６４ａと一体となっている部分を含め、底フレーム６０の前後方向の全長Ｄのおよそ３５％の長さを有する。
【００７６】
また、２本の前後延伸リブ６４ｂの間に位置し、左右延伸リブ６４ａと前後延伸リブ６４ｂとが交差する部分である角部６４ｃ，６４ｄは、それぞれ、段差角部６２ｃｅ，６２ｃｆに覆われるように配置される。言い換えれば、図４のように、平面視において、角部６４ｃの左右延伸リブ６４ａおよび前後延伸リブ６４ｂに対向する側に形成される空間Ｓ３内に段差角部６２ｃｅは配置される。また、図４のように、平面視において、角部６４ｄの左右延伸リブ６４ａおよび前後延伸リブ６４ｂに対向する側に形成される空間Ｓ４内に段差角部６２ｃｆは配置される。
【００７７】
第２強度用リブ６５は、図７のように、第２段Ｌ２の前方部６３ｂにおいて、前方部６３ｂから上方に突出するように形成される。第２強度用リブ６５は、図４のように、底板部６０ａの左端と底板部６０ａの左右方向の中心との中央付近から、底板部６０ａの左右方向の中心線を跨いで、仕切板５８付近まで右方向に延びるように形成される。第２強度用リブ６５は、前方部６３ｂの後縁部に沿って延びる。第２強度用リブ６５は、左右方向に、底フレーム６０の左右方向の全長Ｗのおよそ５０％の長さを有する。
【００７８】
第１強度用リブ６４の左右延伸リブ６４ａおよび第２強度用リブ６５は、図９のＸ方向、すなわち底フレームの左右方向に曲げモーメントが作用する左右方向の１次の振動モードに対して剛性を高める。一方、第１強度用リブ６４の前後延伸リブ６４ｂは、図１０のＹ方向、すなわち底フレームの前後方向に曲げモーメントが作用する前後方向の１次の振動モードに対して剛性を高める。
【００７９】
なお、室外ユニット２０の設置条件によっては、図１１のように、上方に突出する凸部と、下方に突出する凹部と、を有する左右方向の２次の振動モードによる曲げモーメントが底フレーム６０に作用する場合がある。この場合には、曲げモーメントが左右方向（図１０中のＸ方向）と前後方向（図１０中のＹ方向）との中間の方向（斜め方向）に作用しうる。第１強度用リブ６４は左右延伸リブ６４ａと前後延伸リブ６４ｂとが一体に形成されているため、図１１のような振動モードに対しても底板の剛性が高められる。
【００８０】
（ｅ）第４段
第４段Ｌ４は、機械室Ｓ２内の圧縮機固定部２３ａを含む。
【００８１】
圧縮機固定部２３ａは、図５および図８のように、第２段Ｌ２の中央部６３ａ又は前方部６３ｂから、上方に突出するように形成される。圧縮機固定部２３ａの中心には、ボルトを挿入するための穴が形成されている。機械室Ｓ２内の圧縮機設置部６８に設置される圧縮機２３は、圧縮機固定部２３ａにボルトにより固定される。圧縮機２３は、３箇所の圧縮機固定部２３ａと固定されるが、圧縮機２３の寸法に応じて固定位置を変更できるよう、図４のように、圧縮機固定部２３ａは５箇所形成されている。
【００８２】
（３）特徴
（３−１）
本実施形態にかかる空気調和装置１の室外ユニット２０は、室外熱交換器２５と、ケーシング５０と、を備える。ケーシング５０は、第１強度用リブ６４と、一部が熱交換器２５の下方に位置する排水路部６１とが形成された底フレーム６０を含む。第１強度用リブ６４は、排水路部６１以外に形成され、底フレーム６０を上から見たときに、左右方向に延びる左右延伸リブ６４ａと、前後方向に延びる前後延伸リブ６４ｂとを含む。
【００８３】
これにより、底フレーム６０を左右方向又は前後方向に曲げようとするモーメントに対して剛性を高めることができる。つまり、作用する曲げモーメントによって底フレームが振動しにくい。
【００８４】
また、第１強度用リブ６４では、左右方向に延びる左右延伸リブ６４ａと前後方向に延びる前後延伸リブ６４ｂとが組み合わされているため、斜め方向（左右方向と前後方向との中間の方向）に作用する曲げモーメントに対しても底フレーム６０の剛性を高めることができる。
【００８５】
（３−２）
本実施形態にかかる空気調和装置１の室外ユニット２０では、底フレーム６０は、排水路部６１の縁部に形成された段差部６２と、中央部６３ａと、を更に有する。中央部６３ａは、排水路部６１の上方に配置され、段差部６２により排水路部６１と隔てられて形成される。第１強度用リブ６４は、中央部６３ａに形成される。段差部６２は、左右方向に延びると共に、前後方向に延びる第２段差部６２ｂおよび前後段差部６２ｃａ，６２ｃｂ，６２ｃｃ，６２ｄａ，６２ｄｂを有する。
【００８６】
これにより、段差部６２によっても底フレーム６０は補強され、底フレーム６０の左右方向の曲げモーメントに対する剛性をさらに高めることができる。
【００８７】
（３−３）
本実施形態にかかる空気調和装置１の室外ユニット２０では、第１強度用リブ６４は、左右延伸リブ６４ａと前後延伸リブ６４ｂとが交差する角部６４ｃ，６４ｄを有する。段差部６２は、左右方向に延びる左右段差部６２ｃｄと、前後段差部６２ｃａ，６２ｃｂと左右段差部６２ｃｄとが交差する段差角部６２ｃｅ，６２ｃｆと、を有する。平面視において、角部６４ｃの左右延伸リブ６４ａおよび前後延伸リブ６４ｂに対向する側に形成される空間Ｓ３に段差角部６２ｃｅが位置する。平面視において、角部６４ｄの左右延伸リブ６４ａおよび前後延伸リブ６４ｂに対向する側に形成される空間Ｓ４に段差角部６２ｃｆが位置する。
【００８８】
これにより、中央部６２ａにおいて底フレーム６０の剛性をさらに高めることが可能である。
【００８９】
（３−４）
本実施形態にかかる空気調和装置１の室外ユニット２０では、排水路部６１には、複数の排水穴（第１開口６９ａおよび第２開口６９ｂ）が形成される。
【００９０】
これにより、排水路部６１の排水性が高められ、底フレーム６０等が錆びにくいというメリットがある。このように第１開口６９ａおよび第２開口６９ｂを設けることで底フレーム６０の剛性は低下しやすいが、底フレーム６０が十分に補強されているため問題なく剛性を確保できる。
【００９１】
（３−５）
本実施形態にかかる空気調和装置１の室外ユニット２０では、ケーシング５０の内部は、送風機室Ｓ１と機械室Ｓ２とに分割される。第１強度用リブ６４は、送風機室Ｓ１内に形成される。
【００９２】
これにより、機械室Ｓ２よりも面積の占める割合の高い送風機室Ｓ１において、底フレーム６０の剛性を高めることができる。
【００９３】
（３−６）
本実施形態にかかる空気調和装置１の室外ユニット２０では、底フレーム６０には、第２強度用リブ６５がさらに形成される。排水路部６１は左右方向に延び、室外熱交換器２５の下方に位置する第２左右延伸排水路部６１ｃを有する。第２強度用リブ６５は、第１強度用リブ６４に対して第２左右延伸排水路部６１ｃとは反対側に位置し、左右方向に延びる。
【００９４】
これにより、底フレーム６０の左右方向の曲げモーメントに対する剛性を十分に高めることができる。
【００９５】
（４）変形例
以下に本実施形態の変形例を示す。なお、複数の変形例を適宜組み合わせてもよい。
【００９６】
（４−１）変形例Ａ
上記の実施形態に示された室外ユニット２０は、空気調和装置１に使用されるものであるが、これに限定されるものではなく、その他の冷凍装置に使用されるものであってもよい。
【００９７】
（４−２）変形例Ｂ
上記の実施形態では、第１および第２強度用リブ６４，６５は第２段Ｌ２から上方に突出するように形成されるが、これに限定されるものではなく、下方に突出するように形成されるものであってもよい。
【００９８】
（４−３）変形例Ｃ
上記の実施形態に示された各部の長さおよび位置は例示であり、これに限定されるものではない。
【００９９】
ただし、第１強度用リブ６４の左右延伸リブ６４ａは、左右方向に底フレーム６０の左右方向の全長Ｗの２５％以上の長さを有し、底フレーム６０の左右方向の中心線を跨いで延びることが望ましい。第１強度用リブ６４の前後延伸リブ６４ｂは、前後方向に底フレーム６０の前後方向の全長Ｄの２５％以上の長さを有し、底フレーム６０の左右方向の中心線を跨いで延びることが望ましい。
【０１００】
また、段差部６２についても、強度的な観点からは、左右方向に底フレーム６０の左右方向の全長Ｗの５０％以上の長さを有し、第２段差部６２ｂおよび前後段差部６２ｃａ，６２ｃｂ，６２ｃｃ，６２ｄａ，６２ｄｂは、前後方向に底フレーム６０の前後方向の全長Ｄの２５％以上の長さを有することが望ましい。
【０１０１】
（４−４）変形例Ｄ
上記の実施形態では、第１強度用リブ６４は、２つの前後延伸リブ６４ｂを有するが、前後延伸リブ６４ｂは１つであっても、３つ以上であっても構わない。
【０１０２】
ただし、２つ以上の前後延伸リブ６４ｂを有することが望ましい。
【０１０３】
（４−５）変形例Ｅ
上記の実施形態では、段差部６２は、前後方向に底フレーム６０の前後方向の全長Ｄの２５％以上延びる第２段差部６２ｂおよび前後段差部６２ｃａ，６２ｃｂ，６２ｃｃ，６２ｄａ，６２ｄｂを有する。つまり、前後方向に底フレーム６０の前後方向の全長Ｄの２５％以上延びるという条件を満たす段差部を計６箇所有する。しかし、前記の条件を満たす段差部の数量はこれに限定されるものではない。
【０１０４】
ただし、このような段差部は５箇所以上存在することが望ましい。
【符号の説明】
【０１０５】
１  空気調和装置（冷凍装置）
２０  室外ユニット
２５  室外熱交換器（熱交換器）
５０  ケーシング
６０  底フレーム
６１  排水路部
６１ｃ  第２左右延伸排水路部（左右延伸排水路部）
６２  段差部
６２ｂ  第２段差部（前後段差部）
６２ｃａ，６２ｃｂ，６２ｃｃ，６２ｄａ，６２ｄｂ  前後段差部
６２ｃｄ  左右段差部
６２ｃｅ，６２ｃｆ  段差角部
６３ａ  中央部（台地部）
６４  第１強度用リブ
６４ａ  前後延伸リブ（第１部分）
６４ｂ  左右延伸リブ（第２部分）
６４ｃ，６４ｄ  角部
６５  第２強度用リブ
６９ａ  第１開口（排水穴）
６９ｂ  第２開口（排水穴）
Ｄ  底フレーム６０の前後方向の全長
Ｗ  底フレーム６０の左右方向の全長
Ｓ１  送風機室
Ｓ２  機械室
Ｓ３，Ｓ４  空間
【先行技術文献】
【特許文献】
【０１０６】
【特許文献１】特開２００２−２７７００４
【図１】
2013164249.tif 000003
【図２】
2013164249.tif 000004
【図３】
2013164249.tif 000005
【図４】
2013164249.tif 000006
【図５】
2013164249.tif 000007
【図６】
2013164249.tif 000008
【図７】
2013164249.tif 000009
【図８】
2013164249.tif 000010
【図９】
2013164249.tif 000011
【図１０】
2013164249.tif 000012
【図１１】
2013164249.tif 000013